(57)【要約】【課題】可動枠の位置検出精度が高く、小型化も可能なレンズ鏡筒を提供する。【解決手段】レンズ鏡筒は、固定枠１３と、撮影レンズ光軸を有し、フォーカスレンズ２４を含む撮影光学系と、固定枠１３に支持されるフォーカスモータ６１および該モータに連結され、送りネジ６６および減速ギヤ列６３と、フォーカスレンズ２４を保持し、固定枠１３によって光軸方向に進退移動可能に支持されるフォーカス枠である四群枠１２と、固定枠１３に支持され、上記四群枠１２の光軸方向の原点位置を検出するためのＰＩ６８と、送りネジ６６と螺合し、原点検出ＰＩ６８を通過することにより上記原点位置検出がなされる遮蔽突起部６４ａを備えており、該突起部を固定枠１３に設けられるガイド溝１３ｆに嵌入させることによって回転規制された状態で光軸方向に移動可能に支持され、且つ、四群枠１２に当接支持されるナット６４とを具備する。【選択図】図４
2010266749.tif 000002
【特許請求の範囲】
【請求項１】
固定部材と、
撮影レンズ光軸を有し、フォーカスレンズを含む撮影光学系と、
上記固定部材に支持されるフォーカスモータと、上記固定部材に支持され、上記フォーカスモータに連結され、送りネジとフォーカス駆動用減速機構部とからなるフォーカス駆動ユニットと、
上記フォーカスレンズを保持し、上記固定部材によって上記撮影レンズ光軸方向に進退移動可能に支持される可動枠と、
上記固定部材に支持され、上記可動枠の光軸方向の原点位置を検出するための原点検出センサと、
上記原点検出センサを通過することにより上記原点位置検出がなされる遮蔽突起部を備えており、上記遮蔽突起部を上記固定部材に設けられるガイド溝に嵌入させることによって回転規制された状態で上記撮影レンズ光軸方向に移動可能に支持され、上記送りネジと螺合し、且つ、上記可動枠に当接するナット部材と、
を具備することを特徴とするレンズ鏡筒。
【請求項２】
上記固定枠の外周部であって、上記フォーカス駆動ユニットの外側に上記撮影光学系を制御するための接続用フレキシブルプリント基板が配置されており、該接続用フレキシブルプリント基板には上記原点検出センサからの出力信号線と、上記フォーカスモータを駆動する駆動線とが設けられていることを特徴とするレンズ鏡筒。
【請求項３】
さらに、上記固定部材によって上記撮影レンズ光軸と平行に支持されるガイド軸を備えており、上記可動枠には上記ガイド軸が摺動可能に貫通する軸穴が設けられており、上記フォーカス駆動時に上記可動枠は、上記ガイド軸に沿って撮影レンズ光軸方向に進退移動することを特徴とする請求項１、または、２に記載のレンズ鏡筒。
【請求項４】
請求項１に記載のレンズ鏡筒と、
上記撮影光学系を経て形成される光学像を受けて画像データを生成する撮像素子と、
上記レンズ鏡枠の上記固定枠に結合され、上記撮影光学系の光軸を中心とした四方の内の一隅に位置する第一隅部と、上記第一隅部に対して上記撮影光学系の光軸を跨がない一隅に位置する第二隅部と、上記第一隅部と上記撮影光学系の光軸を介して反対側に位置する一隅に位置する第三隅部と、上記第二隅部と上記撮影光学系の光軸を介して反対側に位置する一隅に位置する第四隅部とを有し、上記撮像素子を当該撮像素子の受光面に平行な面内で第一の方向および該第一の方向と直交する第二の方向に変位可能に支持するベース部材と、
上記ベース部材に設けられ、上記撮像素子を上記第一の方向に駆動する第一モータを含む第一駆動部および上記第二の方向に駆動する第二モータを含む第二駆動部と、
を具備しており、上記ベース部材の上記第一隅部には、上記第一駆動部、または、第二駆動部が搭載され、上記第二隅部には、上記第二駆動部、または、第一駆動部が搭載され、上記第三隅部には、上記フォーカス駆動ユニットの上記固定部材から突出する部分が進入する切り欠き部が形成されることを特徴とする撮像装置。
【請求項５】
さらに、上記レンズ鏡筒の外周部に設けられ、上記撮影光学系のズーミング駆動を行うためのズームモータおよびその回転伝達機構を含むズーム駆動ユニットを備えており、上記ズーム駆動ユニットは、上記撮影光学系の光軸方向からみて、上記ズームモータを上記第一駆動部と上記第二駆動部との間に配置し、上記回転伝達機構を上記第一駆動部または上記第二駆動部よりも上記撮影光軸方向の被写体側であって、上記第一駆動部または上記第二駆動部と重なるように配置することを特徴とする請求項４に記載の撮像装置。
【発明の詳細な説明】
【技術分野】
【０００１】
本発明は、進退移動が可能なレンズ保持枠を備えたレンズ鏡筒および該レンズ鏡筒を有する撮像装置に関する。
【背景技術】
【０００２】
従来、進退移動が可能なレンズ保持枠レンズを備えたレンズ鏡筒に関して特許文献１に開示されたものは、レンズ群を保持するレンズ枠を移動させることにより光学変倍、あるいは、繰り出し、収納が可能なレンズ鏡筒に関するものである。
【０００３】
上記特許文献１によるレンズ鏡筒において、フォーカスレンズを保持するフォーカスレンズ保持枠は、固定枠によりガイド軸および直進ガイド溝を介してレンズ光軸に沿って進退可能に支持されており、フォーカスモータにより後述する進退駆動機構を介して進退駆動される。また、上記フォーカスレンズ保持枠の原点位置を検出するためのフォトインタラプタからなる原点検出センサが上記固定枠に配されており、該原点検出センサが上記フォーカスレンズ保持枠に設けられている原点検出用の検出リブの通過を検出することにより上記フォーカスレンズ保持枠の原点位置が検知される。
【０００４】
上記フォーカスレンズ保持枠の進退駆動機構として、フォーカスモータにより回転駆動される送りネジと該送りネジに螺合するナット部材が配されている。上記ナット部材には回転規制のための回転規制リブが設けられ、上記固定枠に該回転規制リブが通過する溝が設けられている。また、固定枠には上記フォーカスレンズ保持枠に設けられる原点検出用の検出リブ挿通のための逃げ溝も設けられている。  
【先行技術文献】
【特許文献】
【０００５】
【特許文献１】特開２００７−５２２２１号公報
【発明の概要】
【発明が解決しようとする課題】
【０００６】
しかしながら、特許文献１に開示されたレンズ鏡筒においては、上述したように固定枠には、上記ナット部材の回転規制リブが通過する溝と、原点検出用の検出リブが通過するための逃げ溝との２つの溝を設ける必要があって、その分だけ、上記固定枠の外形が大きくなり、レンズ鏡筒の小型化には不利となる。
【０００７】
また、レンズ鏡筒組み立て時にはレンズの芯合わせ調整が必要な場合、その芯合わせ調整のために上記フォーカスレンズ保持枠とともに上記原点検出用の検出リブの位置がレンズ光軸直交面上の位置が変化する。従って、上記原点検出センサとして上記検出リブ位置変化に対応する大きさの隙間を持つセンサを採用する必要があり、検出精度が落ちる可能性がある。
【０００８】
本発明は、上述の不具合を解決するためになされたものであり、可動枠の位置検出精度が高く、かつ、小型化も可能なレンズ鏡筒および該レンズ鏡筒を適用する撮像装置を提供することを目的とする。
【課題を解決するための手段】
【０００９】
上記課題を解決するために本発明の１つであるレンズ鏡筒は、固定部材と、撮影レンズ光軸を有し、フォーカスレンズを含む撮影光学系と、上記固定部材に支持されるフォーカスモータと、上記固定部材に支持され、上記フォーカスモータに連結され、送りネジとフォーカス駆動用減速機構部とからなるフォーカス駆動ユニットと、上記フォーカスレンズを保持し、上記固定部材によって上記撮影レンズ光軸方向に進退移動可能に支持される可動枠と、上記固定部材に支持され、上記可動枠の光軸方向の原点位置を検出するための原点検出センサと、上記原点検出センサを通過することにより上記原点位置検出がなされる遮蔽突起部を備えており、上記遮蔽突起部を上記固定部材に設けられるガイド溝に嵌入させることによって回転規制された状態で上記撮影レンズ光軸方向に移動可能に支持され、上記送りネジと螺合し、且つ、上記可動枠に当接するナット部材とを具備している。
【００１０】
本発明の他の１つである撮像装置は、請求項１記載のレンズ鏡筒と、上記撮影光学系を経て形成される光学像を受けて画像データを生成する撮像素子と、上記レンズ鏡枠の上記固定枠に結合され、上記撮影光学系の光軸を中心とした四方の内の一隅に位置する第一隅部と、上記第一隅部に対して上記撮影光学系の光軸を跨がない一隅に位置する第二隅部と、上記第一隅部と上記撮影光学系の光軸を介して反対側に位置する一隅に位置する第三隅部と、上記第二隅部と上記撮影光学系の光軸を介して反対側に位置する一隅に位置する第四隅部とを有し、上記撮像素子を当該撮像素子の受光面に平行な面内で第一の方向および該第一の方向と直交する第二の方向に変位可能に支持するベース部材と、上記ベース部材に設けられ、上記撮像素子を上記第一の方向に駆動する第一モータを含む第一駆動部および上記第二の方向に駆動する第二モータを含む第二駆動部とを具備しており、上記ベース部材の第一隅部には、上記第一駆動部、または、第二駆動部が搭載され、上記第二隅部には、上記第二駆動部、または、第一駆動部が搭載され、上記第三隅部には、上記フォーカス駆動ユニットの上記固定部材から突出する部分が進入する切り欠き部が形成される。
【発明の効果】
【００１１】
本発明によれば、可動枠の位置検出精度が高く、かつ、小型化も可能なレンズ鏡筒および該レンズ鏡筒を適用する撮像装置を提供することができる。
【図面の簡単な説明】
【００１２】
【図１】本発明の一実施形態の撮像装置におけるレンズ鏡筒の一部を示す分解斜視図
【図２】図１のレンズ鏡筒の他の一部を示す分解斜視図
【図３】図１のレンズ鏡筒における三群枠とシャッタユニットの分解斜視図
【図４】図１のレンズ鏡筒における固定枠と四群枠とフォーカス駆動ユニットの分解斜視図
【図５】図１のレンズ鏡筒におけるブレ補正撮像ユニットの斜視図
【図６】図１のレンズ鏡筒の沈胴状態におけるレンズ光軸を含む縦断面図
【図７】図１のレンズ鏡筒の撮影可能なワイド状態におけるレンズ光軸を含む縦断面図
【図８】図１のレンズ鏡筒の撮影可能なテレ状態におけるレンズ光軸を含む縦断面図
【図９】図１のレンズ鏡筒の沈胴状態におけるレンズ光軸を含む横断面図
【図１０】図１のレンズ鏡筒の正面図
【図１１】図１のレンズ鏡筒の背面図
【図１２】図６のXII−XII断面図であって、四群枠とフォーカス駆動ユニットとズーム駆動ユニットまわりを背面側から見た図
【図１３】図１のレンズ鏡筒の沈胴状態における平面図
【図１４】図１のレンズ鏡筒の沈胴状態における下面図
【図１５】図１のレンズ鏡筒の沈胴状態における右側面図
【図１６】図１のレンズ鏡筒の沈胴状態における左側面図
【図１７】図１２のXVII−XVII断面図であって、レンズ鏡筒の沈胴状態におけるフォーカス駆動ユニットの部分断面図
【図１８】図１２のXVIII−XVIII断面図であって、レンズ鏡筒の沈胴状態におけるフォーカス駆動ユニットの送りネジまわりの断面図
【発明を実施するための形態】
【００１３】
本発明の一実施形態の撮像装置となるレンズ鏡筒について、図１〜１８を用いて説明する。
【００１４】
本実施形態のレンズ鏡筒１は、正屈折力をもつ一群レンズ、負屈折力をもつ二群レンズ、正屈折力をもつ三群レンズ、正屈折力をもつ四群レンズ構成の撮影光学系を有し、非撮影状態で各移動鏡枠部材が繰り込まれる沈胴可能なレンズ鏡筒であって、さらに、該光学系の結像平面に移動可能な撮像素子を備えた像ブレ補正機能を有する撮像装置としてデジタルカメラに内蔵可能なものである。
【００１５】
なお、以下の説明において、上記撮像光学系の撮影レンズ光軸を「Ｏ」で示す。該光軸Ｏ方向のうち、被写体側方向を前方とし、結像側方向を後方とする。また、光軸Ｏに直交する方向であって、前面側から見て左右方向を第一の方向であるＸ方向とし、特に右方向を＋Ｘ側とする。光軸ＯおよびＸ方向に直交する方向（上下方向）を第二の方向であるＹ方向とし、特に上方向を＋Ｙ側とする。光軸Ｏと直交する平面をＸＹ平面とする。
【００１６】
レンズ鏡筒１は、沈胴状態にあるとき、図６に示すように各移動可能な枠部材が後述する固定枠１３側に繰り込まれ、互いが密着に近い状態になり、鏡筒全長が短縮された状態にある。一方、レンズ鏡筒１が撮影可能なズームワイド状態およびズームテレ状態にあるときは、図７，８に示すように各移動可能な枠部材が光軸Ｏ方向前方に繰り出され、後述する一群枠４、カム枠５、回転枠１１等が突出した状態になる。また、レンズ鏡筒１においては、後述する撮像素子９６が光軸Ｏと直交するＸＹ平面上を移動可能に支持されており、撮影時、デジタルカメラ側で検出される手ブレ検出信号に基づき、該手ブレを補正するように撮像素子９６がＸＹ平面上を変位制御される。
【００１７】
レンズ鏡筒１の主要構成部材は、図１，２に示すように光軸Ｏ方向前方側から順次配置されており、後述する一群レンズ２１の前面部を開閉するためのバリアユニット３と、一群レンズ２１を保持するズームレンズ保持枠である一群枠４と、二群レンズ２２を保持するズームレンズ保持枠である二群枠６と、一群枠４および二群枠６を進退駆動するためカム枠５と、後方側にシャッタ・絞りユニット８を備え、三群レンズ２３を保持するズームレンズ保持枠である三群枠７と、上記一、二群枠の回転を規制するための枠部材であるフロートキー９と、カム枠５を進退駆動し、また、三群枠７とフロートキー９の回転を規制するための移動枠１０と、カム枠５を回転駆動し、フロートキー９の回転を規制し、また、三群枠７を進退駆動するための回転枠１１と、四群レンズ２４を保持する可動枠である四群枠１２と、回転枠１１を回転進退可能に支持し、移動枠１０の回転を規制するための固定部材であり、カメラ本体側に固定支持される固定枠１３と、回転枠１１を回転駆動するズーム駆動ユニット５０と、四群枠１２を進退駆動するフォーカス駆動ユニット６０と、ベース部材であるベース板１４に組み付けられ、撮像素子９６を保持し、該撮像素子９６を光軸Ｏ方向と直交する平面上を変位駆動するためのブレ補正撮像ユニット９０とを具備している。
【００１８】
固定枠１３は、円筒形状部を有しており、内周部に各枠部材を収容し、背面部にブレ補正撮像ユニット９０のベース板１４が固着される。固定枠１３には、円筒内周部に沿って光軸Ｏ方向に対して斜行する回転枠用カム溝１３ａと、光軸Ｏ方向に沿った移動枠用直進ガイド溝１３ｃおよび四群枠用直進ガイド溝１３ｂと、後述するロングギヤ５４が収納されるギヤ収納凹部１３ｄと、フォーカス駆動ユニット６０が収納されるフォーカス駆動ユニット収納凹部１３ｅと、該収納凹部１３ｅの内壁部に光軸Ｏ方向に沿って配される遮蔽突起部用ガイド溝１３ｆとが設けられる。また、円筒外周部右側にズーム駆動ユニット５０が配され、さらに、円筒外周部左上にフォーカス駆動ユニット６０が配されている。前面部には遮光リング３５が固着される。
【００１９】
回転枠１１は、円筒形状の枠部材であり、後端部外周が固定枠１３の内周部に回転進退可能な状態で嵌入する。そして、後端部外周にカムフォロア１１ｂが配され、固定枠１３のカム溝１３ａに摺動可能に嵌入する。また、後端部外周の所定の範囲にはロングギヤ５４に噛合するギヤ部１１ａが設けられている。回転枠１１の内周部には光軸Ｏ方向に対して斜行する三群枠用カム溝１１ｃと、カム枠用直進溝１１ｄとが設けられている。
【００２０】
回転枠１１は、ズーム駆動ユニット５０によって駆動されるロングギヤの回転によって回転駆動されると、カム溝１３ａに沿って回転しながら光軸Ｏ方向進退駆動される。なお、回転枠１１の前面外周部には遮光リング３４および飾り環３３が装着されている。
【００２１】
移動枠１０は、円筒形状の枠部材であり、後端部が回転枠１１に対してバヨネット結合され、回転枠１１に対して光軸Ｏ方向には共に進退し、かつ、相対回転可能に支持されている。また、後端部外周に突出するガイドピン１０ｂが固定枠１３の直進ガイド溝１３ｃに係合にしている。従って、移動枠１０は、回転規制状態のもとで回転枠１１とともに進退する。
【００２２】
移動枠１０の円周部には内外周を貫通し、光軸Ｏに対して斜行するカム枠用カム溝１０ｃと、内外周を貫通する三群枠用直進ガイド溝１０ｅと、内周部にフロートキー用直進ガイド溝１０ｆが設けられている。
【００２３】
フロートキー９は、円筒形状の枠部材であり、カム枠５に対して後端部がバヨネット結合しており、カム枠５に対して光軸Ｏ方向には共に進退し、かつ、相対回転可能に支持されている。フロートキー９には後端部外周に突出するガイド突起９ａと、外周部に一群枠用直進ガイド溝９ｃと、内外周を貫通する二群枠用直進ガイド溝９ｂとが設けられている。
【００２４】
フロートキー９のガイド突起９ａは、移動枠１０の直進ガイド溝１０ｆに摺動可能に嵌入する。従って、フロートキー９は、移動枠１０により回転規制された状態のもとでカム枠５とともに光軸Ｏ方向に進退移動可能に支持される。
【００２５】
カム枠５は、円筒形状の枠部材であり、移動枠１０の内周部に嵌入し、回転進退可能に組み込まれている。カム枠５には、後方外周部に突出するカムフォロア５ｄが配され、該カムフォロア５ｄの中心部には、直進ガイドピン３８が外方に突出した状態で嵌入固着される。内周部には同一のカム曲線（カム溝中心軌跡）を有する三対の一群枠用カム溝５ａ，サブカム溝５ｂと、３本の二群枠用カム溝５ｃが設けられている。
【００２６】
対となる一群枠用カム溝５ａ，サブカム溝５ｂには、それぞれ後述する一群枠４のカムフォロア３６，３７が嵌入し、カム溝５ａ側は、一群枠４の進退駆動用として機能するが、サブカム溝５ｂ側は、一群枠４に衝撃等によりスラスト方向の外力が作用したときの上記カムフォロアの外れ防止用として機能する。
【００２７】
二群枠用カム溝５ｃは、溝幅の異なるカム溝からなり、レンズ鏡筒１が撮影可能なワイド状態からテレ状態にあっては、後述する二群枠６のカムフォロア３９がカム溝５ｃのうち、隙間のないカム溝に嵌入し、沈胴状態にあるとき、カム溝５ｃのうち隙間のあるカム溝に嵌入する。これによってレンズ鏡筒１が沈胴状態にあるときの一群枠４と二群枠６との干渉状態が防止される。
【００２８】
カムフォロア５ｄは、移動枠１０のカム溝１０ｃに摺動可能に嵌入し、直進ガイドピン３８は、カム溝１０ｃを挿通後、回転枠１１の直進溝１１ｄに摺動可能に嵌入する（図９）。従って、カム枠５は、回転枠１１とともに回転しながら移動枠１０のカム溝１０ｃに沿って光軸Ｏ方向に進退移動可能に支持される。
【００２９】
なお、図８に示すような撮影可能なテレ状態にて、カム枠５が回転枠１１とともに繰り出されているとき、カムフォロア５ｄは、移動枠１０のカム溝１０ｃの前方側の薄肉部位１０ｄ近傍に移動している（図１）。この状態で外部に露出している一群枠４、あるいは、カム枠５に対して前方方向への外力（引張力）が作用したとすると、カムフォロア５ｄを介して移動枠１０の前方側の薄肉部位１０ｄに上記外力が作用して、該薄肉部位１０ｄを破損する可能性がある。しかし、本実施形態においては、上記前方外力を移動枠１０の前端面が回転枠１１の内側段部１１ｅ（図８）に当接する構造を採用していることから上記外力による移動枠１０の薄肉部位１０ｄを破損が防止される。
【００３０】
バリアユニット３は、４枚のバリア羽根３ａを内蔵しており、飾り環２により覆われた状態で一群枠４の前面部に装着される。一群枠４の沈胴位置からの繰り出し動作に伴ってバリア羽根３ａが退避し、一群レンズ２１の前面を開放状態とする。また、一群枠４の撮影位置からの繰り込みに伴ってバリア羽根３ａを閉鎖位置に進入させ、一群レンズ２１の前面を閉鎖状態とする。
【００３１】
一群枠４は、円筒形状の枠部材であり、カム枠５の内周部に回転規制状態で進退可能に嵌入している。この一群枠４は、ズームレンズ群である一群レンズ２１を保持しており、外周部に三対のカムフォロア３６，３７が固着されている。また、内周部にフロートキー９の直進ガイド溝９ｃに摺動可能に嵌入するガイド突部（図示せず）が設けられている。
【００３２】
一群枠４のカムフォロア３６，３７は、カム枠５のカム溝５ａ，サブカム溝５ｂにそれぞれ摺動可能に嵌入しており、一群枠４は、フロートキー９の直進ガイド溝９ｃによって回転規制された状態でカム枠５の回転および進退に伴って進退移動する。なお、カムフォロア３７とサブカム溝５ｂとは、前述したように一群枠４に落下等による外力が作用したときのカムフォロア外れ防止のために備えられている。
【００３３】
二群枠６は、円筒形状の枠部材であり、フロートキー９の内周部に回転規制状態で進退可能に嵌入し、一群枠４の後方側に組み込まれる。この二群枠６は、ズームレンズ群である二群レンズ２２を保持しており、外周部に３つのガイド突部６ａと、ガイド突部６ａの中心から外方に突出する状態でカムフォロア３９が固着されている。
【００３４】
ガイド突部６ａは、フロートキー９の直進ガイド溝９ｂに嵌入して、貫通し、カムフォロア３９をカム枠５のカム溝５ｃに嵌合させる。従って、二群枠６は、カム枠５の回転、進退移動により回転規制状態のもとで進退移動する。
【００３５】
三群枠７は、円筒形状の枠部材であり、フロートキー９の内周部に嵌入し、二群枠６の後方に回転規制状態で進退可能に組み込まれている。この三群枠７は、ズームレンズ群である三群レンズ２３を保持しており、背面側内周部にシャッタ・絞りユニット８を光軸Ｏ方向に相対移動可能に支持している。また、前面側に三群レンズ押さえ板７ａが固着されている。三群枠７の外方に突出した腕部にガイド突部７ｂが設けられ、該ガイド突部にカムフォロア４１が固着されている（図３）。
【００３６】
三群枠７は、ガイド突部７ｂを移動枠１０の直進ガイド溝１０ｅに嵌入させ、貫通後、カムフォロア４１を回転枠１１のカム溝１１ｃに嵌入させて組み付けられる。従って、三群枠７は、回転枠１１の回転に伴って回転規制状態のもとで光軸Ｏ方向に進退移動する。
【００３７】
シャッタ・絞りユニット８には撮影光路を開閉するためのシャッタ羽根２５と、撮影光量の調整を行うための絞り羽根２６が組み込まれている。シャッタ・絞りユニット８と三群枠７と間には、圧縮バネ４２が挿入されており、互いに離反する方向に付勢されている。
【００３８】
レンズ鏡筒１の撮影可能状態では、シャッタ・絞りユニット８と三群枠７とは、所定距離離間しているが、沈胴状態では、四群枠１２によって圧縮バネ４２が圧縮され、互いに略密着する状態になる。上記沈胴状態では、シャッタ羽根２５と、絞り羽根２６とが開放位置に駆動されており、その開放開口部に三群レンズ２３の後部が進入する。これによって、シャッタ・絞りユニット８と三群枠７とのより密着に近い状態が得られる。さらに、四群レンズ２４に極めて近接した状態となる。
【００３９】
二群枠６と三群枠７との間には、二、三群枠付勢用の付勢部材である円錐コイルバネ１８が挿入され、二群枠６と三群枠７とが互いに光軸Ｏ方向に離間するように付勢される（図６〜８）。上述のように二群枠６と三群枠７とが離間するように付勢されていることから、レンズ鏡筒１が沈胴状態を含み撮影可能な状態にあるとき、二群枠６のカムフォロア３９とカム枠５のカム溝５ｃおよび三群枠７のカムフォロア４１と回転枠１１のカム溝１１ｃのそれぞれの嵌合ガタ詰めがなされ、光軸Ｏ方向のガタのない状態での二群枠６と三群枠７の進退駆動が可能となる。
【００４０】
なお、円錐コイルバネ１８は、大径側座巻き部に内径側に折り曲げられた折り曲げ部１８ａが設けられている。二群枠６、三群枠７間に組み込む場合、大径側座巻き部を二群枠６の端面側に当て付けて配置される。レンズ鏡筒１が沈胴状態に繰り込まれた場合、図６に示すように円錐コイルバネ１８は、圧縮され、密着に近い状態になるが、そのとき、折り曲げ部１８ａがあるために大径側座巻き部に対して隣り合う巻き線がは嵌り込んで復元しない状態が防止される。
【００４１】
四群枠１２は、シャッタ・絞りユニット８の後方に回転規制状態で進退可能に配されている。この四群枠１２は、中央開口部にフォーカスレンズ群である四群レンズ２４を保持しており、外方に延びる二つの腕部を有している。上記一方の腕部には回転規制用ガイド突部１２ｃが設けられ、他方の腕部には直進ガイド用ガイド軸穴１２ａと、送りネジ挿入穴１２ｂとが設けられている。
【００４２】
ガイド軸穴１２ａには固定枠１３に支持されるガイド軸６５が摺動可能に嵌入する。また、ガイド突部１２ｃは、光軸Ｏまわりの両幅（周方向）に突出して形成され、光軸Ｏ平行方向に延びる２つの微小円筒部からなり、固定枠１３の直進ガイド溝１３ｂにガタなく摺動可能に嵌入する。従って、四群枠１２は、後述するようにフォーカス駆動ユニット６０の駆動力により送りネジ６６とナット６４を介してガイド軸６５および直進ガイド溝１３ｂに沿って光軸Ｏ方向に進退可能に支持される。
【００４３】
なお、ガイド突部１２ｃが上述のように幅方向２つの微小部分円筒部からなる。従って、四群枠１２の寸法精度により僅かな光軸Ｏまわりの位置ずれがあったとしても固定枠１３の直進ガイド溝１３ｂに対してガイド突部１２ｃの両円筒幅が当接することから片当たりのない良好な嵌合状態が維持される。
【００４４】
また、四群１２に対して四群レンズ２４の芯調整機構が適用され、例えば、ガイド軸６５に偏心調整機構が組み込まれた場合、上述のようにガイド突部１２ｃが微小部分円筒部で形成されていれば、芯調整による四群枠１２の姿勢変化に対しても直進ガイド溝１３ｂとガイド突部１２ｃとの良好な嵌合状態を維持することができる。なお、ガイド突部１２ｃは、微小部分円筒部に限らず幅方向に突出する２つの微小部分球面部であってもよい。
【００４５】
ズーム駆動ユニット５０は、図２，１２に示すように固定枠１３の円筒外周部右側（図１２では左側）に配されており、ＤＣモータからなるズームモータ５１と、ギヤケース蓋５２と、回転伝達機構を構成する減速用ギヤ列５３およびロングギヤ５４とからなる。
【００４６】
ギヤケース蓋５２は、固定枠１３の右側に背面側から固着され、ギヤ列５３、ロングギヤ５４の軸部を支持する軸穴部を備えている。
【００４７】
ズームモータ５１は、固定枠１３に支持され、ベース板１４に装着される後述するＸ駆動モータ７１とＹ駆動モータ８１の間に位置して配されおり、Ｙ方向に沿った出力軸にウォームギヤが固着されている。
【００４８】
ギヤ列５３は、ズームモータ５１のウォームギヤに噛合するウォームホイルと該ウォームホイルに噛合し、ロングギヤ５４に噛合する減速ギヤ列からなる。
【００４９】
ロングギヤ５４は、固定枠１３のギヤ収納凹部１３ｄに光軸Ｏと平行な方向に沿って収納され、回転枠１１のギヤ部１１ａに噛合する。
【００５０】
ズーム駆動ユニット５０において、レンズ鏡筒１の沈胴駆動時およびズーム駆動時にズームモータ５１が回転駆動されるとロングギヤ５４を介して回転枠１１が回転駆動され、レンズ鏡筒１の繰り出し、または、繰り込みが行われる。
【００５１】
フォーカス駆動ユニット６０は、前述したように円筒外周部左上のフォーカス駆動ユニット収納凹部１３ｅに収容されており、図４，１２，１７に示すようにステップモータからなるフォーカスモータ６１と、ギヤケース蓋６２と、回転伝達機構を構成するガイド軸６５、送りネジ６６、フォーカス駆動用伝達減速部である減速用ギヤ列６３、ナット６４および四群枠付勢バネ６７と、フォトインタラプタからなる原点検出センサであるフォーカス原点検出用ＰＩ６８とからなる。
【００５２】
ギヤケース蓋６２は、固定枠１３の左上部に背面側から固着され、ギヤ列６３、光軸Ｏと平行なガイド軸６５および送りネジ６６の軸端を支持する。
【００５３】
フォーカスモータ６１は、固定枠１３に支持され、光軸Ｏと平行方向に沿った出力軸にギヤ列６３と噛合するピニオン６１ａが装着されている。
【００５４】
ガイド軸６５は、光軸Ｏと平行な方向に沿って配され、四群枠１２のガイド軸穴１２ａに摺動可能に嵌入し、その軸端部が固定枠１３とギヤケース蓋６２で支持される。
【００５５】
送りネジ６６は、光軸Ｏと平行な方向に沿って配され、その軸端部が固定枠１３とギヤケース蓋６２で支持される。そして、フォーカスモータ６１によってギヤ列６３を介して回転駆動される。なお、送りネジ６６は、ナット６４と螺合し、かつ、該ナット６４の後面に当接する状態で四群枠１２の送りネジ挿入穴１２ｂの端面部が当接している。
【００５６】
ナット６４は、図４，１８に示すように送りネジ６６に螺合して装着されるが、このナット６４には、ナット外周方向に向けて突出後、さらに、後端方向に突出するＬ字型薄板形状の遮蔽突起部６４ａが一体で設けられている。遮蔽突起部６４ａは、ナット６４が送りネジ６６に螺合して装着された状態で固定枠１３の遮蔽突起部用ガイド溝１３ｆにスライド可能に嵌入している。従って、送りネジ６６の回転時、ナット６４は、固定枠１３のガイド溝１３ｆによって回転規制された状態で光軸Ｏ方向に沿って進退移動する。さらに、後述するように遮蔽突起部６４ａは、フォーカス原点検出用ＰＩ６８の検出用開口部６８ａ内に進入可能とする。
【００５７】
四群枠付勢バネ６７は、図４，１７に示すように円錐コイルバネからなり、ガイド軸６５の後方側にて四群枠ガイド軸穴１２ａのボス部とギヤケース蓋６２の内面との間に挿入されており、四群枠１２を前方（ナット６４側）に付勢する。その付勢力によって送りネジ６６に螺合しているナット６４の後端面に四群枠１２の送りネジ挿入穴１２ｂの前側周面が当接する状態となる。従って、沈胴駆動時およびフォーカシング駆動時、送りネジ６６が回転駆動されると、四群枠１２は、四群枠付勢バネ６７の付勢力を受けてナット６４と一体の状態で光軸Ｏ方向の進退移動する。
【００５８】
フォーカス原点検出用ＰＩ６８は、図４に示すように検出部となるコの字状検出用開口部６８ａを有しており、固定枠１３の後端面にて固定枠１３の遮蔽突起部用ガイド溝１３ｆに上記検出用開口部６８ａの中心を合致させた状態で固着支持される。従って、レンズ鏡筒１が沈胴状態に向けて繰り込まれ、ナット６４が最後端側（沈胴位置側）に移動と、ナット６４の遮蔽突起部６４ａは、固定枠１３の遮蔽突起部用ガイド溝１３ｆにガイドされながら該遮蔽突起部６４ａの突出後端側がＰＩ６８の検出用開口部６８ａに進入する。カメラの電源スイッチのオン時、ナット６４は上記最後端（沈胴位置）から前方に向けて移動を開始するが、四群枠１２が沈胴位置近傍のフォーカス原点位置を通過するとき、ＰＩ６８により上記フォーカス原点位置が検出され、その出力がカメラ制御部（図示せず）に取り込まれる。
【００５９】
なお、ギヤケース蓋６２を含むフォーカス駆動ユニット６０の後端部は、固定枠１３の背面よりも後方側に突出しており、その突出部は、後述するブレ補正撮像ユニット９０のベース板１４上の左上隅の第三隅部１４ｄに設けられる切り欠き部に進入している。
【００６０】
上述したようにフォーカス駆動ユニット６０においては、レンズ鏡筒１の沈胴駆動時やフォーカシング駆動時にナット６４が送りネジ６６に沿って進退移動して、四群枠１２が光軸Ｏ方向に進退し、沈胴位置、または、フォーカシング位置に移動する。そして、沈胴状態状態から撮影可能な状態への繰り出し開始時、フォーカス原点検出用ＰＩ６８によって四群枠１２のフォーカス駆動制御のためのフォーカシング原点位置の通過が検出される。
【００６１】
上述した四群枠１２に保持される四群レンズ２４は、図２，１２に示すように円形形状のレンズ群であったが、これに限らず、例えば、図１２の二点鎖線で示されるようなＤカット形状の四群レンズ２４Ａを適用する四群枠１２Ａに対しても上述したフォーカス駆動ユニット６０がそのまま適用可能である。なお、上記四群レンズ２４Ａを適用する四群枠１２Ａは、沈胴駆動時に三群レンズを保持する三群枠がＸＹ平面上で回動駆動され、四群枠１２Ａの側方に繰り込まれる構成を有する沈胴時長さ短縮化対策のレンズ鏡筒に適用されるものである。
【００６２】
レンズ鏡筒１においては、ナット６４の遮蔽突起部６４ａをガイドするための遮蔽突起部用ガイド溝１３ｆが固定枠１３側に設けられているが、もし、フォーカスモータ６１がブレ補正撮像ユニット９０側のベース板１４に支持され、さらに、該ベース板１４に四群枠１２をガイドするガイド軸６５および送りネジ６６が支持されている構造を有するレンズ鏡筒である場合、上記遮蔽突起部用ガイド溝１３ｆおよびフォーカス原点検出用ＰＩ６８をベース板１４側に配置することも可能である。
【００６３】
ここで、レンズ鏡筒１の撮影光学系を構成する一、二、三、四群レンズについて説明すると、一群レンズ２１は、被写体側から順に被写体側に凸面を向けた負メニスカスレンズ２１ａと両凸正レンズ２１ｂの接合レンズからなり、ワイド端からテレ端まで、被写体側へ移動する。上記一群レンズ２１を適用することにより厚さ方向や径方向の小型化に有利としつつ、それぞれのレンズ同士が収差をキャンセルし合うことで一群レンズ２１における諸収差の補正に有利とし、ワイド化、高変倍比化した際の収差変動を抑えている。
【００６４】
二群レンズ２２は、被写体側から順に二群レンズ前群２２ａと、二群レンズ後群２２ｂ，２２ｃとからなる。二群レンズ前群２２ａは、被写体側に凸面を向けた負メニスカスレンズからなり、二群レンズ後群２２ｂ、２２ｃは、両凹負レンズと、被写体側に凸面を向けた正メニスカスレンズとからなる。
【００６５】
二群レンズ２２は、ワイド端から中間状態まで、一群レンズ２１との間隔を広げ、三群レンズ２３との間隔を狭めながら像面側に移動し、中間状態からテレ端まで、一群レンズ２１との間隔を広げ、三群レンズ２３との間隔を狭めながら被写体側に移動する。テレ端では、ワイド端の位置より被写体側に位置する。
【００６６】
三群レンズ２３は、被写体側から順に三群レンズ前群２３ａと、三群レンズ後群２３ｂとからなる。三群レンズ２３ａは、両凸正レンズからなり、三群レンズ後群２３ｂは、被写体側に凸面を向けた負メニスカスレンズからなる。この三群レンズ２３は、ワイド端からテレ端まで、被写体側へ移動する。
【００６７】
四群レンズ２４は、被写体側に凸面を向けた正メニスカスレンズ１枚からなる。この四群レンズ２４は、フォーカシング時に進退駆動され、さらに、ワイド端から中間状態まで、三群レンズ２３との間隔を広げながら被写体側に移動し、中間状態からテレ端まで、三群レンズ２３との間隔を広げながら若干像面側に移動する。テレ端では、ワイド端の位置より被写体側に位置する。
【００６８】
上述のように撮影光学系を構成することによりワイド端付近で接近する一群レンズ２１と二群レンズ２２との合成系が、被写体側から順に、正屈折力（一群レンズ２１）、負屈折力（二群レンズ前群２２ａ）、正屈折力（二群レンズ後群２２ｂ，２２ｃ）の対称的なパワー配置となる。
【００６９】
また、三群レンズ２３、四群レンズ２４の合成系においても、被写体側から順に、正屈折力（三群レンズ前群２３ａ）、負屈折力（三群レンズ後群２３ｂ）、正屈折力（四群レンズ２４）の対称的なパワー配置となる。
【００７０】
また、テレ端付近で近接する二群レンズ２２と三群レンズ２３との合成系が、被写体側から順に、負屈折力（二群レンズ前群２２ａ）、正屈折力（二群レンズ後群２２ｂ，２２ｃ）、正屈折力（三群レンズ前群２３ａ）、負屈折力（三群レンズ後群２３ｂ）の対称配置となる。
【００７１】
よって、ワイド端付近でのペッツバール和、コマ収差、倍率色収差、球面収差の補正、テレ端付近でのペッツバール和、コマ収差、倍率の色収差の補正を行いやすくなり、ワイド化、高変倍比化を行いやすくなる。また、第３レンズ群の主点を被写体よりにしやすくなり、変倍比も確保しやすい。
【００７２】
さらに、四群レンズ２４は、１つの正レンズ成分からなる構成とすることで、沈胴時の薄型化にも有利となる。四群レンズ２４は、主に射出瞳を像面から離す機能が主となるので、正の屈折力を低減できる。そのため、上述の構成とすることで小型、低コスト化に有利となる。
【００７３】
ブレ補正撮像ユニット９０は、固定枠１３の背面部に装着される可動撮像ユニットからなり、ベース部材であるベース板１４と、ベース板１４上にＸＹ平面のＹ方向に移動可能に支持されるＹ枠１５と、Ｙ枠１５上にＸＹ平面のＸ方向に移動可能に支持されるＸ枠１６と、Ｘ枠１６上に固着支持される撮像素子ユニット９５と、第一駆動部であるＸ駆動ユニット７０と、第二駆動部であるＹ駆動ユニット８０とからなる。
【００７４】
ベース板１４は、中央開口部１４ａを有し、前方から見た概略投影形伏が光軸Ｏ中心にしてその右下（図１１では左下）の第一隅部１４ｂと、右上（図１１では左上）の第二隅部１４ｃと、左上（図１１では右上）の第三隅部１４ｄと、左下（図１１では右下）の第四隅部１４ｅとを有する略矩形形状をなす枠部材であって、固定枠１３の背面部に固着されている。なお、ベース板１４を固定枠１３に固着する場合、レンズ鏡筒側の光軸Ｏに対してブレ補正撮像ユニット９０のＸＹ平面上の正確な位置決めをする必要があるので、ベース板１４側の位置決め穴１４ｆ，１４ｇ（図１１）を固定枠１３側の位置決めピンに嵌入した状態で両者を固定する。
【００７５】
なお、第三隅部１４ｄは、切り欠き部を有しており、その切り欠き部に前述したようにギヤケース蓋６２を含むフォーカス駆動ユニット６０の後端部が進入する。第四隅部１４ｅは、固定枠１３の外周に沿った状態の円弧形状部になっている。該円弧形状部は、レンズ鏡筒１が装着される上記デジタルカメラの三脚雌ネジ部を配置するための逃げ部となる。
【００７６】
Ｙ枠１５は、開口部１５ａを有する枠部材からなり、ベース板１４の中央開口部１４ａ内に配され、付勢バネにより付勢された状態で２本のガイド軸９１，９２によりＹ方向にスライド移動可能に支持されている。
【００７７】
Ｘ枠１６は、開口部１６ａを有する枠部材からなり、Ｙ枠１５の開口部１５ａ内に配され、付勢バネにより付勢された状態で２本のガイド軸９３，９４によりＸ方向にスライド移動可能に支持されている。
【００７８】
撮像素子ユニット９５は、撮像素子支持板９８と、ＦＰＣ（フレキシブルプリント基板）１０３に実装された状態で撮像素子支持板９８に固着され、ＣＣＤ、または、ＣＭＯＳ等からなる撮像素子９６と、撮像素子９６の前面側に配される光学的ローパスフィルタまたは赤外線カット吸収フィルタの光学フィルタ９７とを備えている。なお、近赤外シャープカットコートを上記光学的ローパスフィルタの表面に直接コーティングしてもよい。
【００７９】
撮像素子ユニット９５は、撮像素子支持板９８をＸ枠１６の背面側にビスにより固着し、撮像素子９６および光学フィルタ９７をＸ枠１６の開口部１６ａに配した状態でＸ枠１６に装着される。
【００８０】
Ｘ駆動ユニット７０は、ベース板１４の右上の第一隅部１４ｂの前面側に組み付けられ、固定枠１３の外周部のズーム駆動ユニット５０のギヤ列５３の後方位置に重なる状態で配置される（図１０）。このＸ駆動ユニット７０は、Ｘ駆動ユニット支持板７２と、ステップモータからなる第一のモータであるＸ駆動モータ７１と、該Ｘ駆動モータ７１の出力軸のピニオンに噛合する中間ギヤ７３と、中間ギヤ７３が固着され、Ｘ方向に沿った送りネジ７４と、ナット７５と、Ｘ枠初期位置検出センサであるＰＩ（フォトインタラプタ）７６とからなる。なお、ＰＩ７６の位置検出器に替えて、フォトリフレクタまたはホール素子と扁平な永久磁石の組み合わせによる初期位置検出を行う位置検出器を配することも可能である。
【００８１】
ナット７５は、Ｘ枠１６に対して回転規制状態のもとで送りネジ７４に螺合し、Ｘ方向にスライド可能に支持されており、付勢バネの付勢力を受けてＸ枠１６のＵ字状切り欠き部１６ｂに当接している。従って、ブレ補正動作時にＸ駆動モータ７１が回転駆動されると送りネジ７４によってナット７５とＸ枠１６とがＸ方向に変位駆動される。
【００８２】
Ｙ駆動ユニット８０は、ベース板１４の第二隅部１４ｃの前面側に組み付けられ、固定枠１３の外周部のズームモータ５１の上方位置に配置される。このＹ駆動ユニット８０は、Ｙ駆動ユニット支持板８２と、ステップモータからなる第二のモータであるＹ駆動モータ８１と、Ｙ駆動モータ８１の出力軸のピニオンに噛合する中間ギヤ８３と、中間ギヤ８３が固着され、Ｙ方向に沿った送りネジ８４と、ナット８５と、Ｙ枠初期位置検出センサであるＰＩ（フォトインタラプタ）８６とからなる。
【００８３】
ナット８５は、Ｙ枠１５に対して回転規制状態のもとで送りネジ８４に螺合し、Ｙ方向にスライド可能に支持されており、付勢バネの付勢力を受けてＹ枠１５のＵ字状切り欠き部１５ｂに当接している。従って、ブレ補正動作時にＹ駆動モータ８１が回転駆動されると送りネジ８４によってナット８５とＹ枠１５とがＹ方向に変位駆動される。
【００８４】
ブレ補正撮像ユニット９０において、手ブレ補正による撮像素子露光動作時、手ブレに応じてＹ枠１５およびＸ枠１６がＸＹ平面上を変位駆動されるが、該手ブレ補正動作終了後、また、デジタルカメラの電源スイッチオン直後、Ｉ８６およびＰＩ７６の出力信号に基づいてＹ枠１５およびＸ枠１６がそれぞれ初期中間位置に戻される。Ｙ枠１５およびＸ枠１６が上記初期中間位置にある状態では、撮像素子９６の受光面の中心位置が光軸Ｏと一致する。
【００８５】
なお、ブレ補正撮像ユニット９０にて、ベース板１４に対するＸ駆動ユニット７０およびＹ駆動ユニット８０の配置について、上述した配置に対して上下を逆にして、Ｘ駆動ユニット７０を第一隅部１４ｂに配置し、Ｙ駆動ユニット８０を第二隅部１４ｃに配置することも可能である。
【００８６】
また、上述したレンズ鏡筒１にて、ズームモータ５１、フォーカスモータ６１、Ｙ駆動モータ８１およびＸ駆動モータ７１の外装色を黒色、または、黒色以外の、例えば、シルバー色とし、固定枠１３およびベース板１４の外装色を黒色以外の色、例えば、シルバー色、または、黒色とする。このように構成部材とモータとの外装色を異ならせることによって組み立て工程中の組み付け状態を確認した状態で、例えば、ズームモータ５１、フォーカスモータ６１、Ｙ駆動モータ８１およびＸ駆動モータ７１の各モータが固定枠１３、ベース板１４の上述した所定の位置に装着されていることを確認して、ベース板１４を固定枠１３に固定することができる。
【００８７】
次に、レンズ鏡筒１の各構成ユニットの電気制御要素と上記デジタルカメラの制御部との電気接続のためのＦＰＣ（フレキシブルプリント基板）の配置について、図２，１２〜１６を用いて説明する。
【００８８】
レンズ鏡筒１に備えられる電気接続用ＦＰＣは、ズーム、フォーカス駆動ユニット５０，６０、シャッタ・絞り制御ユニット８と上記カメラ側電気制御部との電気接続を行うためのＦＰＣ１０１と、Ｘ，Ｙ駆動ユニット７０，８０と上記カメラ側電気制御部との電気接続を行うためのＦＰＣ１０２と、撮像素子ユニット９５と上記カメラ側電気制御部との電気接続を行うためのＦＰＣ１０３からなる。
【００８９】
ＦＰＣ１０１は、ズームモータコネクタ部１０１ａと、フォーカスモータコネクタ部１０１ｂと、フォーカス位置検出用ＰＩコネクタ部１０１ｆと、フォーカスモータコネクタ部との接続延出部１０１ｃと、左方延出部１０１ｄと、カメラ電気制御コネクタ部１０１ｇと、シャッタ・絞り制御ユニット用ＦＰＣコネクタ部１０１ｅと、さらに、ズーム位置検出用ＰＩコネクタおよびＰＲ用コネクタを備えている（図２）。
【００９０】
ＦＰＣ１０１においては、図１０に示すように一端部に配されるズームモータコネクタ部１０１ａがズームモータ５１の端子部に接続される。また、ＦＰＣ１０１の左方延出部１０１ｄを固定枠１３の上部外周部に沿って左方向に延出させ、その中間で接続延出部１０１ｃにて分岐されたフォーカスモータコネクタ部１０１ｂがフォーカスモータ６１の端子部に接続される。左方延出部１０１ｄは、固定枠１３の上方外周を挿通後、後方に向けて分岐するＰＩコネクタ部１０１ｆがＰＩ６８に接続される。また、固定枠１３の上方外周を挿通後、分岐したシャッタ・絞り制御ユニット用ＦＰＣコネクタ部１０１ｅがシャッタ・絞り制御ユニット用ＦＰＣ（図示せず）に接続される。ＦＰＣ１０１は、固定枠１３の上方外周を左方に挿通後、左方向に延出するカメラ電気制御コネクタ部１０１ｇをカメラ電気制御部（図示せず）に接続される。
【００９１】
ＦＰＣ１０２は、Ｘモータコネクタ部１０２ａと、Ｙモータコネクタ部１０２ｂと、ＰＩコネクタ部１０２ｃ，１０２ｄと、側方延出部１０２ｅと、下方延出部１０２ｆと、カメラ電気制御コネクタ部１０２ｇとを備えている（図２）。
【００９２】
ＦＰＣ１０２において、Ｙモータコネクタ部１０２ｂをＹ駆動モータ８１に接続し、ＰＩコネクタ部１０２ｄをＰＩ８６に、さらに、ＰＩコネクタ部１０２ｃをＰＩ７６接続後、側方延出部１０２ｅを固定枠１３の右側面外周に沿って挿通させ、さらに、Ｘモータコネクタ部１０２ａをＸ駆動モータ７１に接続後、下方延出部１０２ｆを固定枠下部外周に沿って挿通させる。そして、左方向に延出するカメラ電気制御コネクタ部１０２ｇがカメラ電気制御部（図示せず）に接続される。
【００９３】
ＦＰＣ１０３は、撮像素子実装接続部１０３ａと、撮像素子９６をＸＹ平面上の変位可能に支持するための中央スリットが付されたＶ状折り曲げ部１０３ｂと、カメラ電気制御コネクタ部１０３ｃとを備えている（図２）。
【００９４】
ＦＰＣ１０３においては、撮像素子９６に実装接続部１０３ａを接続後、ベース板１４のＦＰＣ折り曲げ部収納凹部１４ｆ（図６）に収納されるＶ状折り曲げ部１０３ｂを経てベース板１４の背面部を左方に挿通させ、左方向に延出するカメラ電気制御コネクタ部１０３ｃがカメラ電気制御部（図示せず）に接続される。
【００９５】
上述した構成を有する本実施形態のレンズ鏡筒１における沈胴動作、繰り出し動作、ブレ補正動作等について説明する。
【００９６】
レンズ鏡筒１は、図６に示す沈胴状態からの繰り出し動作によって図７、８に示す撮影可能なワイド状態、または、テレ状態にセットされる。詳しくは、上記カメラ側制御部の制御のもとでズームモータ５１が駆動され、回転枠１１が回転、かつ、繰り出し駆動される。その回転枠１１の回転、繰り出しにともなって、まず、バリアユニット３が開放状態になり、一群枠４、二群枠６、三群枠７、シャッタ・絞りユニット８がそれぞれ、測距信号に基づいたズーム位置に移動する。また、測距信号に基づいてフォーカスモータ６１が駆動され、四群枠１２がフォーカス位置に繰り出され、レンズ鏡筒１は、撮影可能な状態となる。
【００９７】
また、ブレ補正撮影時には、撮像素子９６の露光を行うに際して、上記デジタルカメラ側の手ブレ検出センサで検出された手ブレ信号に基づき、上記デジタルカメラの制御部の制御のもとでＸ駆動モータ７１およびＹ駆動モータ８１が駆動され、それに応じてＹ枠１５およびＸ枠１６が変位し、撮像素子９６が手ブレを補正する方向に駆動される。手ブレ補正方向に駆動されるＸ枠１６上に配置された撮像素子９６より手ブレのない撮像信号が出力される。
【００９８】
レンズ鏡筒１において、上記撮影可能な状態から沈胴状態に繰り込む場合、ズームモータ５１、フォーカスモータ６１を駆動することによって各移動可能な枠部材を固定枠１３側に繰り込み、沈胴状態とするが、その沈胴状態では移動可能な各枠部材は、それぞれが密着、または、密着に極めて近い状態とし、一群レンズ２２〜四群レンズ２３も互いに密着に近い状態にする。従って、沈胴状態における光軸Ｏ方向の全長の短縮化が実現できる。
【００９９】
また、前述したようにレンズ鏡筒進退駆動のためのズーム駆動ユニット５０を固定枠１３の外周部の右側方に配置し、フォーカス駆動ユニット６０を固定枠１３の外周部の左上に配置する。さらに、ブレ補正のためのＸ駆動ユニット７０、Ｙ駆動ユニットをベース板１４の右側上下隅部であって、固定枠１３の外周部右側方のズームモータ５１の上下にデットスペースが生じないように配置する。
【０１００】
ズーム駆動ユニット５０、フォーカス駆動ユニット６０、シャッタ・絞りユニット８とカメラ制御部とを接続するためのＦＰＣ１０１と、Ｘ駆動ユニット７０、Ｙ駆動ユニットとカメラ制御部とを接続するためのＦＰＣ１０２とを固定枠１３の外周部の上下に沿ってカメラ制御部側に向けて延出配置する。これらの配置構造によりブレ補正撮像ユニット９０を含むレンズ鏡筒１が占める光軸Ｏ方向の投影面積を減らすことができ、撮像装置としてのレンズ鏡筒１の小型化が実現できる。
【０１０１】
さらに、フォーカス駆動ユニット６０において、上述したように四群枠１２は、固定枠１３の四群枠用直進ガイド溝１３ｂと固定枠１３に支持されているガイド軸６５とにより光軸Ｏまわりの回転規制状態で光軸Ｏ方向に沿って進退可能に支持され、ナット６４を介して光軸Ｏ方向に進退駆動される。ナット６４の遮蔽突起部６４ａを固定枠１３の遮蔽突起部用ガイド溝１３ｆに摺動可能に嵌入させることによりナット６４の回転規制がなされ、さらに、該遮蔽突起部６４ａの後端突起部の位置をフォーカス原点検出用ＰＩ６８により検出することによって四群枠１２のフォーカス原点位置が認識される。従って、四群枠１２にフォーカス原点位置検出のための遮蔽突起部を設ける必要がなく、四群枠１２が占めるスペースを小さくすることができ、また、ナット６４の回転規制用となる固定枠１３の遮蔽突起部用ガイド溝１３ｆに対向させてＰＩ６８を配置することからＰＩ６８の固定枠１３上の配置が容易になり、固定枠１３の外形形状を小さくすることが可能になり、レンズ鏡筒の小型化が実現できる。
【０１０２】
また、四群枠１２に保持される四群レンズ２４をレンズ鏡筒１における光軸Ｏに対して芯合わせを行う必要があるレンズ鏡筒に対しては、上記光軸調整により、四群枠１２の光軸Ｏ直交平面（ＸＹ平面）上の位置が変化したとしても送りネジ６６と四群枠１２の送りネジ挿入穴１２ｂとが径方向にガタのある状態で嵌合しているので、ナット６４位置に対する影響がない。従って、固定枠１３の遮蔽突起部用ガイド溝１３ｆとナット６４の遮蔽突起部６４ａとの摺動のための隙間を小さくして、ナット６４の軸まわりの回転ガタを抑えることができる。これによってフォーカス原点検出用ＰＩ６８の検出用開口部６８ａの幅が狭いものを適用することができ、フォーカス原点位置の検出精度が向上する。
【０１０３】
また、四群枠１２の回転規制用ガイド突部１２ｃが幅方向（光軸Ｏ周方向）に突出する２つの微小部分円筒部、または、微小部分球面部からなるので、上述のように四群レンズ２４の光軸Ｏに対する芯合わせのために四群枠１２のＸＹ平面上の位置が変化した場合、ガイド突部１２ｃが固定枠１３の直進ガイド溝１３ｂに対して溝の両側で片当たりするなど不安定な嵌合状態がなくなる。
【０１０４】
また、本発明の実施形態ではフォーカス枠を四群枠１２としたが、３群レンズからなるレンズ鏡枠の場合には３群枠がフォーカス枠となる。また、２群レンズからなるレンズ鏡枠の場合には２群枠がフォーカス枠とする置き換えが可能である。
【０１０５】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【０１０６】
上述のように本発明のレンズ鏡筒および該レンズ鏡筒を適用する撮像装置は、可動枠の位置検出精度が高く、かつ、小型化も可能なレンズ鏡筒および該レンズ鏡筒を適用する撮像装置として利用が可能である。
【符号の説明】
【０１０７】
１２…四群枠（可動枠）
１２ａ…ガイド軸穴
１３…固定枠（固定部材）
１３ｆ…ガイド溝（固定部材のガイド溝）
１４…ベース板（ベース部材）
１４ｂ…第一隅部
１４ｃ…第二隅部
１４ｄ…第三隅部
１４ｅ…第四隅部
２１…一群レンズ（撮影光学系）
２２…二群レンズ（撮影光学系）
２３…三群レンズ（撮影光学系）
２４…四群レンズ（撮影光学系）
５０…ズーム駆動ユニット
５１…ズームモータ（ズーム駆動ユニット）
５３…減速ギヤ列（回転伝達機構，ズーム駆動ユニット）
６０…フォーカス駆動ユニット
６１…フォーカスモータ（フォーカス駆動ユニット）
６３…減速ギヤ列
（フォーカス駆動用減速機構部，
フォーカス駆動ユニット）
６４…ナット（ナット部材）
６４ａ…遮蔽突起部
６５…ガイド軸
６６…送りネジ
（フォーカス駆動用減速機構部，
フォーカス駆動ユニット）
６８…ＰＩ（原点検出センサ）
７０…Ｘ駆動ユニット（第一駆動部）
７１…Ｘ駆動モータ（第一モータ）
８０…Ｙ駆動ユニット(第二駆動部）
８１…Ｙ駆動モータ(第二モータ）
９６…撮像素子
１０１…ＦＰＣ（接続用フレキシブルプリント基板）
Ｏ…光軸（撮影レンズ光軸）
Ｘ…第一の方向
Ｙ…第二の方向
【図１】
2010266749.tif 000003
【図２】
2010266749.tif 000004
【図３】
2010266749.tif 000005
【図４】
2010266749.tif 000006
【図５】
2010266749.tif 000007
【図６】
2010266749.tif 000008
【図７】
2010266749.tif 000009
【図８】
2010266749.tif 000010
【図９】
2010266749.tif 000011
【図１０】
2010266749.tif 000012
【図１１】
2010266749.tif 000013
【図１２】
2010266749.tif 000014
【図１３】
2010266749.tif 000015
【図１４】
2010266749.tif 000016
【図１５】
2010266749.tif 000017
【図１６】
2010266749.tif 000018
【図１７】
2010266749.tif 000019
【図１８】
2010266749.tif 000020